(57)【要約】【課題】  記録方法、記録装置及び光記録媒体を提供する。【解決手段】  記録するマークの長さによって決定される長さを有し、第１パワーレベルを有する第１パルス、及び第１パワーレベルより低いパワーレベルを有する第２パルスで構成されたボックス型記録パターンを生成するステップと、記録パターンによってデータを記録するステップと、を含む光記録媒体にデータを記録する方法である。【選択図】      図７
2007257823.tif 000002
【特許請求の範囲】
【請求項１】
光記録媒体にデータを記録する方法において、
記録するマークの長さによって決定される長さを有し、第１パワーレベルを有する第１パルス、及び前記第１パワーレベルと異なる第２パワーレベルを有する第２パルスで構成されたボックス型記録パターンを生成するステップと、
前記記録パターンによってデータを記録するステップとを含むことを特徴とする記録方法。
【請求項２】
前記第２パワーレベルは、前記第１パワーレベルより低いことを特徴とする請求項１に記載の記録方法。
【請求項３】
前記第２パルスは、前記マークのエッジ部分の調節のために、前記記録パターンのエッジ部分に配列されることを特徴とする請求項１に記載の記録方法。
【請求項４】
前記記録するマークの長さがｎＴ（ｎは整数）であるとき、前記第２パルスは、（ｎ−１）Ｔ地点で開始することを特徴とする請求項１に記載の記録方法。
【請求項５】
前記ボックス型記録パターンの前記第１パルスは、前記記録マークのために１Ｔの時間が進んだ時点から第１間隔ほど離れた第１位置から開始するか、または前記記録マークのために開始点から第２間隔ほど離れた第２位置から開始することを特徴とする請求項１に記載の記録方法。
【請求項６】
前記ボックス型記録パターンの長さは、前記第１パルスが開始した時点から前記第２パルスが終了する時点までの長さと決定されることを特徴とする請求項１に記載の記録方法。
【請求項７】
前記ボックス型記録パターンの長さは、前記第１パルスの長さと前記第２パルスの長さとの和で決定されることを特徴とする請求項１に記載の記録方法。
【請求項８】
前記第１パルスの長さは、前記第１パルスの開始点から前記第２パルスの開始点までの距離と決定され、前記第２パルスは、前記記録マークの終了点から第２間隔ほど離れた第２位置で終了することを特徴とする請求項１に記載の記録方法。
【請求項９】
前記記録パターンを生成するステップは、
前記ボックス型記録パターンのためのパラメータ情報を前記光記録媒体から読み取り、前記読み取られたパラメータ情報に基づいて、前記ボックス型記録パターンを生成するステップを含むことを特徴とする請求項１に記載の記録方法。
【請求項１０】
光記録媒体に記録パターン情報を記録する方法において、
前記記録パターン情報を生成するステップと、
前記生成された記録パターン情報を前記光記録媒体の所定領域に記録するステップと、を含み、
前記記録パターン情報は、記録するマークの長さによって決定される長さを有し、第１パワーレベルを有する第１パルス、及び前記第１パワーレベルと異なる第２パワーレベルを有する第２パルスで構成されたボックス型記録パターンに関する情報を含むことを特徴とする記録方法。
【請求項１１】
前記第２パワーレベルは、前記第１パワーレベルより低いことを特徴とする請求項１０に記載の記録方法。
【請求項１２】
前記第２パルスは、前記マークのエッジ部分の調節のために、前記記録パターンのエッジ部分に配列されることを特徴とする請求項１０に記載の記録方法。
【請求項１３】
前記記録するマークの長さがｎＴ（ｎは整数）であるとき、前記第２パルスは、（ｎ−１）Ｔ地点で開始することを特徴とする請求項１０に記載の記録方法。
【請求項１４】
前記ボックス型記録パターンに関する情報は、
前記記録マークのために１Ｔの時間が進んだ時点から第１間隔ほど離れた第１位置から開始する第１パルスの開始点、及び前記第１パルスが開始した時点から前記第２パルスが終了する時点までの長さで決定される前記ボックス型記録パターンの長さを含むことを特徴とする請求項１０に記載の記録方法。
【請求項１５】
前記ボックス型記録パターンに関する情報は、
前記記録マークのための開始点から第１間隔ほど離れた第１位置から開始する前記第１パルスの開始点、及び前記第１パルスが開始した時点から前記第２パルスが終了する時点までの長さで決定される前記ボックス型記録パターンの長さを含むことを特徴とする請求項１０に記載の記録方法。
【請求項１６】
前記ボックス型記録パターンに関する情報は、
前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことを特徴とする請求項１０に記載の記録方法。
【請求項１７】
前記ボックス型記録パターンに関する情報は、
前記記録マークのための時点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことを特徴とする請求項１０に記載の記録方法。
【請求項１８】
前記ボックス型記録パターンに関する情報は、
前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことを特徴とする請求項１０に記載の記録方法。
【請求項１９】
前記ボックス型記録パターンに関する情報は、
前記記録マークのための時点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことを特徴とする請求項１０に記載の記録方法。
【請求項２０】
前記ボックス型記録パターンに関する情報は、
記録データが終了する時点から所定間隔ほど離れたクーリングパルスが終了する時点をさらに含むことを特徴とする請求項１０に記載の記録方法。
【請求項２１】
光記録媒体にデータを記録する装置において、
記録するマークの長さによって決定される長さを有し、第１パワーレベルを有する第１パルス、及び前記第１パワーレベルと異なる第２パワーレベルを有する第２パルスで構成されたボックス型記録パターンを生成する記録波形生成部と、
前記記録パターンによってデータを記録するピックアップ部とを備えることを特徴とする記録装置。
【請求項２２】
前記第２パワーレベルは、前記第１パワーレベルより低いことを特徴とする請求項２１に記載の記録装置。
【請求項２３】
前記記録波形生成部は、
前記マークのエッジ部分の調節のために、前記第２パルスを前記記録パターンのエッジ部分に配列することを特徴とする請求項２１に記載の記録装置。
【請求項２４】
前記記録波形生成部は、
前記記録するマークの長さがｎＴであるとき、前記第２パルスを（ｎ−１）Ｔ地点で開始するように配列することを特徴とする請求項２１に記載の記録装置。
【請求項２５】
前記記録波形生成部は、
前記ボックス型記録パターンの前記第１パルスを前記記録マークのために１Ｔの時間が進んだ時点から第１間隔ほど離れた第１位置から開始するか、または前記記録マークのために開始点から第２間隔ほど離れた第２位置から開始するように配列することを特徴とする請求項２１に記載の記録装置。
【請求項２６】
前記記録波形生成部は、
前記ボックス型記録パターンの長さを前記第１パルスが開始した時点から前記第２パルスが終了する時点までの長さと決定することを特徴とする請求項２１に記載の記録装置。
【請求項２７】
前記記録波形生成部は、
前記ボックス型記録パターンの長さを、前記第１パルスの長さと前記第２パルスの長さとの和で決定することを特徴とする請求項２１に記載の記録装置。
【請求項２８】
前記記録波形生成部は、
前記第１パルスの長さを、前記第１パルスの開始点から前記第２パルスの開始点までの距離と決定し、前記第２パルスは、前記記録マークの終了点から第２間隔ほど離れた第２位置で終了するように配列することを特徴とする請求項２１に記載の記録装置。
【請求項２９】
前記記録波形生成部は、
前記光記録媒体から読み取られた記録パターンのためのパラメータ情報に基づいて、前記ボックス型記録パターンを生成することを特徴とする請求項２１に記載の記録装置。
【請求項３０】
光記録媒体に記録パターン情報を記録する装置において、
記録するマークの長さによって決定される長さを有し、第１パワーレベルを有する第１パルス、及び前記第１パワーレベルと異なる第２パワーレベルを有する第２パルスで構成されたボックス型記録パターンに関する情報を生成する制御部と、
前記生成された記録パターン情報を前記光記録媒体の所定領域に記録するピックアップ部と、を備えることを特徴とする記録装置。
【請求項３１】
前記第２パワーレベルは、前記第１パワーレベルより低いことを特徴とする請求項３０に記載の記録装置。
【請求項３２】
前記制御部は、
前記第２パルスが前記マークのエッジ部分の調節のために前記記録パターンのエッジ部分に配列されたボックス型記録パターン情報を生成することを特徴とする請求項３０に記載の記録装置。
【請求項３３】
前記制御部は、
前記記録するマークの長さがｎＴであるとき、前記第２パルスを（ｎ−１）Ｔ地点で開始するように配列されたボックス型記録パターン情報を生成することを特徴とする請求項３０に記載の記録装置。
【請求項３４】
前記ボックス型記録パターンに関する情報は、
前記記録マークのために１Ｔの時間が進んだ時点から第１間隔ほど離れた第１位置から開始する第１パルスの開始点、及び前記第１パルスが開始した時点から前記第２パルスが終了する時点までの長さと決定される前記ボックス型記録パターンの長さを含むことを特徴とする請求項３０に記載の記録装置。
【請求項３５】
前記ボックス型記録パターンに関する情報は、
前記記録マークのための開始点から第１間隔ほど離れた第１位置から開始する前記第１パルスの開始点、及び前記第１パルスが開始した時点から前記第２パルスが終了する時点までの長さと決定される前記ボックス型記録パターンの長さを含むことを特徴とする請求項３０に記載の記録装置。
【請求項３６】
前記ボックス型記録パターンに関する情報は、
前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことを特徴とする請求項３０に記載の記録装置。
【請求項３７】
前記ボックス型記録パターンに関する情報は、
前記記録マークのための開始点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことを特徴とする請求項３０に記載の記録装置。
【請求項３８】
前記ボックス型記録パターンに関する情報は、
前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことを特徴とする請求項３０に記載の記録装置。
【請求項３９】
前記ボックス型記録パターンに関する情報は、
前記記録マークのための開始点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことを特徴とする請求項３０に記載の記録装置。
【請求項４０】
記録再生装置に使われるための光記録媒体において、
記録パターン情報が記録された領域を備え、
前記記録パターン情報は、記録するマークの長さによって決定される長さを有し、第１パワーレベルを有する第１パルス、及び前記第１パワーレベルと異なる第２パワーレベルを有する第２パルスで構成されたボックス型記録パターンに関する情報を含むことを特徴とする光記録媒体。
【請求項４１】
前記第２パワーレベルは、前記第１パワーレベルより低いことを特徴とする請求項４０に記載の光記録媒体。
【請求項４２】
前記第２パルスは、前記マークのエッジ部分の調節のために前記記録パターンのエッジ部分に配列されることを特徴とする請求項４０に記載の光記録媒体。
【請求項４３】
前記記録するマークの長さがｎＴであるとき、前記第２パルスは、（ｎ−１）Ｔ地点で開始することを特徴とする請求項４０に記載の光記録媒体。
【請求項４４】
前記ボックス型記録パターンに関する情報は、
前記記録マークのために１Ｔの時間が進んだ時点から第１間隔ほど離れた第１位置から開始する第１パルスの開始点、及び前記第１パルスが開始した時点から前記第２パルスが終了する時点までの長さと決定される前記ボックス型記録パターンの長さを含むことを特徴とする請求項４０に記載の光記録媒体。
【請求項４５】
前記ボックス型記録パターンに関する情報は、
前記記録マークのための開始点から第１間隔ほど離れた第１位置から開始する前記第１パルスの開始点、及び前記第１パルスが開始した時点から前記第２パルスが終了する時点までの長さと決定される前記ボックス型記録パターンの長さを含むことを特徴とする請求項４０に記載の光記録媒体。
【請求項４６】
前記ボックス型記録パターンに関する情報は、
前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことを特徴とする請求項４０に記載の光記録媒体。
【請求項４７】
前記ボックス型記録パターンに関する情報は、
前記記録マークのための開始点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことを特徴とする請求項４０に記載の光記録媒体。
【請求項４８】
前記ボックス型記録パターンに関する情報は、
前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことを特徴とする請求項４０に記載の光記録媒体。
【請求項４９】
前記ボックス型記録パターンに関する情報は、
前記記録マークのための開始点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことを特徴とする請求項４０に記載の光記録媒体。
【請求項５０】
光記録媒体にデータを記録する方法において、
前記光記録媒体にデータを記録するのに使われるパルスを有するボックス型記録パターンを生成するステップと、
前記生成されたボックス型記録パターンに基づいてデータを記録するステップと、を含み、
前記パルスのパワーレベルは、記録マークの幅の変化を防止するために、記録中に生成される熱蓄積を相殺するように調整されることを特徴とする記録方法。
【請求項５１】
前記パルスは、
前記記録マークの長さによって決定される長さを有し、第１パワーレベルを有する第１パルス、及び前記第１パワーレベルと異なる第２パワーレベルを有する第２パルスを備えることを特徴とする請求項５０に記載の記録方法。
【請求項５２】
前記第２パワーレベルは、前記第１パワーレベルより低いことを特徴とする請求項５１に記載の記録方法。
【請求項５３】
光記録媒体にデータを記録する装置において、
前記光記録媒体にデータを記録するのに使われるパルスを有するボックス型記録パターンを生成する記録波形生成部と、
前記生成されたボックス型記録パターンに基づいてデータを記録するために、前記パルスを照射するピックアップ部とを備え、
前記パルスのパワーレベルは、記録マークの幅の変化を防止するために、記録中に生成される熱蓄積を相殺するように調整されることを特徴とする記録方法。
【請求項５４】
前記パルスは、
前記記録マークの長さによって決定される長さを有し、第１パワーレベルを有する第１パルス、及び前記第１パワーレベルと異なる第２パワーレベルを有する第２パルスを備えることを特徴とする請求項５３に記載の記録方法。
【請求項５５】
前記第２パワーレベルは、前記第１パワーレベルより低いことを特徴とする請求項５４に記載の記録方法。
【発明の詳細な説明】
【技術分野】
【０００１】
本発明は、高倍速の記録媒体から再生信号の品質を向上させるための記録方法、記録装置及び光記録媒体に係り、特に高速記録によるジッタ特性を向上させるための最適の記録波形を含む情報記録媒体、これにデータを記録する方法及び装置に関する。
【背景技術】
【０００２】
一般的に、情報記録媒体、例えば光ディスクは、非接触式で情報を記録／再生する光ピックアップ装置の情報記録媒体として広く採用され、情報記録容量によってＣＤ（コンパクトディスク）とＤＶＤ（デジタル  バーサタイル  ディスク）とに区分される。そして、情報の記録、消去及び再生が可能なディスクとして６５０ＭＢ  ＣＤ−Ｒ、ＣＤ−ＲＷ（リライタブル）、４．７ＧＢ  ＤＶＤ＋Ｒ／ＲＷ、ＤＶＤ−ＲＡＭ（ランダム  アクセス  メモリ）、ＤＶＤ−Ｒ／ＲＷなどがあり、再生転用のディスクとして６５０ＭＢ  ＣＤ、４．７ＧＢ  ＤＶＤ−ＲＯＭ（リード  オンリ  メモリ）などがある。さらに、記録容量が２０ＧＢ以上である高密度の光ディスク（ＨＤ−ＤＶＤ）も開発されている。
【０００３】
光記録媒体の一つである光ディスクにデータを記録するというのは、光ディスクに形成されたトラックにマークを形成することを意味する。ＣＤ−ＲＯＭ、ＤＶＤ−ＲＯＭなどの読み取り転用のディスクの場合、マークは、ピットで形成される。ＣＤ−Ｒ／ＲＷ、ＤＶＤ−Ｒ／ＲＷ／ＲＡＭなどの記録可能なディスクの場合、記録層には、温度によって結晶質または非晶質に変化する相変化膜が塗布されており、マークは、相変化膜の相変化を通じて形成される。かかる記録可能なディスクの場合、記録／再生特性を最適化するために記録ストラテジーという技術を導入しており、前記ディスクによってその記録ストラテジーが異なって適用される。また、ドライブによって記録条件が異なり、したがって、光記録媒体とドライブとの互換性がない。
【０００４】
特に、高容量に行くほど、短時間に記録しようとするユーザの要求により記録速度も速めねばならない。
【０００５】
次世代のＢＤ（ブルーレイ  ディスク）のような高密度の光記録機器は、最短Ｔを２Ｔとして有するＲＬＬ（１，７）コード方式で記録している。かかる場合、現在一定した長さの記録マークを形成するレーザ出力波形は、基本的に記録マークの長さによって記録パルスの数が増加するマルチパルスであり、その構成は、図１に示したように、記録マークの長さを時間周期ＴのＮ倍数とするとき、Ｎ−１個の記録パルスからなる記録ストラテジーを使用している。この場合、高倍速でマルチパルスを作るためにレーザダイオードをスイッチングし難くなり、速い速度で記録が進められてマルチパルスの効果がなく、短時間にレーザダイオードから放出される十分な熱を記録メディアに伝達し難いので、マークが正しく形成されない。したがって、かかる現象を克服するために、新たなパルスで構成された記録ストラテジーが必要である。
【０００６】
図１の（Ａ）及び（Ｂ）は、従来の方式による記録波形を示す参考図である。図１（Ａ）及び（Ｂ）には、ＮＲＺＩ（Ｎｏｎ  Ｒｅｔｕｒｎ  ｔｏ  Ｚｅｒｏ  Ｉｎｖｅｒｔｅｄ）データを記録するための従来の記録波形が示されている。ここで、Ｔは、基準記録／再生クロック信号の周期を意味する。マークエッジ記録方式によれば、ＮＲＺＩデータのハイレベルは、マークで記録され、ローレベルは、スペースで形成される。マークの記録に使われる記録波形は、記録パターンといい、スペースの形成に使われる（マークの消去に使われる）記録波形は、消去パターンという。従来の記録波形は、記録パターンとしてマルチパルスを使用し、各パルスのパワーレベルをＰｗ，Ｐｅ及びＰｂの三つのレベルに調節する。すなわち、記録パターンを構成する記録マルチパルスのパワーレベルは、ＰｗとＰｂとを有する。特に、ＮＲＺＩデータのローレベルであるスペースを形成するための消去パターンのパワーＰｅを所定のＤＣ（Ｄｉｒｅｃｔ  Ｃｕｒｒｅｎｔ）レベルに一定に維持する。ここで、Ｐｗは、記録パワーを意味し、Ｐｂは、バイアスパワーを意味し、Ｐｅは、消去パワーを意味する。
【０００７】
図１（Ｂ）に示すように、従来のマルチパルスの一例であるＮ−１記録ストラテジーである。一定の長さの記録マークを形成するレーザ出力波形は、基本的に記録マークの長さによって記録パルスの数が増加するマルチパルスであり、その構成は、記録マークの長さを時間周期ＴのＮ倍数とするとき（２Ｔ、３Ｔなど）、Ｎ−１個の記録パルスを有する。例えば、５Ｔのマークの記録のためには、５−１＝４個の記録パルスを有する。
【０００８】
下記表は、マルチパルス形態の記録ストラテジーを利用した記録方式の条件である。
【０００９】
【表１】
2007257823.tif 000003
下記表は、マルチパルス記録ストラテジーを利用して各倍速別に記録品質（ジッタ）を比較した結果である。
【００１０】
【表２】
2007257823.tif 000004
前記表に示すように、Ｎ−１ストラテジーを４倍速（約１００００ＲＰＭの回転速度）に適用して記録すれば、１倍速や２倍速の結果に比べてジッタが急激に増加するということが分かる。
【００１１】
図２の（Ａ）、（Ｂ）、（Ｃ）は、ＢＤ−Ｒでマルチパルス形態の記録ストラテジーを利用して４倍速記録で形成される記録マークのシミュレーション結果を示す図である。
【００１２】
これは、シミュレーション結果からも分かるが、マークの形成状態に見たとき、速めた速度により記録パルスによる熱伝達が効果的に記録マークの形成に影響を与えない結果を表す。一定しないマークの形態に見るとき、使われたマルチパルス形態の記録ストラテジーでは、最適のマークの形成とマークの長さ調節は困難である。
【００１３】
図３の（Ａ）及び（Ｂ）は、従来技術によって一つのパルスを含むボックス形態の記録パターンを有する記録ストラテジーを示す図である。図３の（Ａ）及び（Ｂ）に示すように、一定の長さの記録マークを形成するレーザ出力波形は、記録マークの長さに関係なく一つのパルスからなり、パルスの長さにより各Ｔを決定する。
【００１４】
下記表は、ボックス形態の記録ストラテジーを利用した記録方式の条件である。
【００１５】
【表３】
2007257823.tif 000005
下記表は、ボックス形態の記録ストラテジーを利用した４倍速の記録品質（ジッタ）の結果である。
【００１６】
【表４】
2007257823.tif 000006
図４（Ａ）、（Ｂ）、（Ｃ）は、ＢＤ−Ｒでボックス形態の記録ストラテジーを利用した４倍速記録に形成される記録マークのシミュレーション結果を示す図である。
【００１７】
高倍速でマルチパルス形態の記録ストラテジーを利用することによって発生する問題を解決するために、図４（Ａ）、（Ｂ）、（Ｃ）に示したように、ボックス形態の記録ストラテジーを４倍速（約１００００ＲＰＭ以下の回転速度）に適用して記録すれば、ジッタは、マルチパルス形態の記録ストラテジーの場合より良好な結果を表す。シミュレーション結果を観察すれば、マークの形態は、一定した一つの形態に形成されている。かかる現象は、マークの形成のための熱伝達が十分に行われたということが分かる。しかし、マークのリーディング（ｌｅａｄｉｎｇ）部分とトレーリング部分との形成状態に見たとき、マークのトレーリング側に行くほどマークが大きくなることを観察できる。マルチパルス形態の記録ストラテジーの場合より、熱の蓄積が増加した結果によるものである。かかる理由により、トレーリング側のマークエッジの形成を調整し難い。
【００１８】
前記二つの場合のように、約１００００ＲＰＭの回転速度以上の記録速度では、現在広く使われているマルチパルス形態の記録ストラテジーを具現するためのレーザダイオード自体のスイッチングが困難であるだけでなく、単位時間当たり記録媒体に伝達される熱量自体が少ないため、記録マークの形成には適当でない。したがって、さらにレーザダイオードのスイッチング側面で単純であり、単位時間当たり多くの熱伝達を可能にボックス形態の記録ストラテジーを適用して記録すれば、ジッタは、マルチパルス形態の記録ストラテジーの場合より良好な結果を表すが、シミュレーション結果を観察すれば、トレーリング側のマークの形態がリーディング側より大きくなるということが分かる。マルチパルス形態の記録ストラテジーの場合より、熱の蓄積が増加した結果によるものである。したがって、高倍速で最適の記録ストラテジーという側面ではまだ改善せねばならない余地がある。
【発明の開示】
【発明が解決しようとする課題】
【００１９】
本発明の目的は、前記のような問題点を解決して、高倍速の記録媒体でマークのトレーリング部分の調節を容易にすることによって、再生信号の品質を向上させる記録装置、記録方法及び光記録媒体を提供するところにある。
【課題を解決するための手段】
【００２０】
前記目的を達成するための本発明の一つの特徴は、光記録媒体にデータを記録する方法において、記録するマークの長さによって決定される長さを有し、第１パワーレベルを有する第１パルス、及び前記第１パワーレベルと異なる第２パワーレベルを有する第２パルスで構成されたボックス型記録パターンを生成するステップと、前記記録パターンによってデータを記録するステップと、を含むことである。
【００２１】
前記第２パワーレベルは、前記第１パワーレベルより低いことが望ましい。
【００２２】
前記第２パルスは、前記マークのエッジ部分の調節のために、前記記録パターンのエッジ部分に配列されることが望ましい。
【００２３】
前記記録するマークの長さがｎＴであるとき、前記第２パルスは、（ｎ−１）Ｔ地点で開始することが望ましい。
【００２４】
前記ボックス型記録パターンの前記第１パルスは、前記記録マークのために１Ｔの時間が進んだ時点から第１間隔ほど離れた第１位置から開始するか、または前記記録マークのために開始点から第２間隔ほど離れた第２位置から開始することが望ましい。
【００２５】
前記ボックス型記録パターンの長さは、前記第１パルスが開始した時点から前記第２パルスが終了する時点までの長さと決定されることが望ましい。
【００２６】
前記ボックス型記録パターンの長さは、前記第１パルスの長さと前記第２パルスの長さとの和で決定されることが望ましい。
【００２７】
前記第１パルスの長さは、前記第１パルスの開始点から前記第２パルスの開始点までの距離と決定され、前記第２パルスは、前記記録マークの終了点から第２間隔ほど離れた第２位置で終了することが望ましい。
【００２８】
前記記録パターンを生成するステップは、前記ボックス型記録パターンのためのパラメータ情報を前記光記録媒体から読み取り、前記読み取られたパラメータ情報に基づいて、前記ボックス型記録パターンを生成するステップを含むことが望ましい。
【００２９】
本発明の他の特徴は、光記録媒体に記録パターン情報を記録する方法において、前記記録パターン情報を生成するステップと、前記生成された記録パターン情報を前記光記録媒体の所定領域に記録するステップと、を含み、前記記録パターン情報は、記録するマークの長さによって決定される長さを有し、第１パワーレベルを有する第１パルス、及び前記第１パワーレベルと異なる第２パワーレベルを有する第２パルスで構成されたボックス型記録パターンに関する情報を含むことである。
【００３０】
前記ボックス型記録パターンに関する情報は、前記記録マークのために１Ｔの時間が進んだ時点から第１間隔ほど離れた第１位置から開始する第１パルスの開始点、及び前記第１パルスが開始した時点から前記第２パルスが終了する時点までの長さと決定される前記ボックス型記録パターンの長さを含むことが望ましい。
【００３１】
前記ボックス型記録パターンに関する情報は、前記記録マークのための開始点から第１間隔ほど離れた第１位置から開始する前記第１パルスの開始点、及び前記第１パルスが開始した時点から前記第２パルスが終了する時点までの長さと決定される前記ボックス型記録パターンの長さを含むことが望ましい。
【００３２】
前記ボックス型記録パターンに関する情報は、前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことが望ましい。
【００３３】
前記ボックス型記録パターンに関する情報は、前記記録マークのための開始点から第１間隔ほど離れた第１位置から開始する前記第１パルスの開始点、前記第１パルスの開始点から前記第２パルスの開始点までの距離と決定される前記第１パルスの長さ、及び前記第１パルスの終了点から第２間隔ほど離れた第２位置で終了する前記第２パルスの終了点を含むことが望ましい。
【００３４】
前記ボックス型記録パターンに関する情報は、前記記録マークのために１Ｔの時間が進んだ時点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことが望ましい。
【００３５】
前記ボックス型記録パターンに関する情報は、前記記録マークのための時点から第１間隔ほど離れた第１位置から開始する前記第１パルスの開始点、前記第１パルスの開始点から前記第２パルスの開始点までの距離と決定される前記第１パルスの長さ、及び前記記録マークの終了点から第２間隔ほど離れた第２位置で終了する前記第２パルスの終了点を含むことが望ましい。
【００３６】
前記ボックス型記録パターンに関する情報は、記録データが終了する時点から所定間隔ほど離れたクーリングパルスが終了する時点をさらに含みうる。
【００３７】
本発明のさらに他の特徴は、光記録媒体にデータを記録する装置において、記録するマークの長さによって決定される長さを有し、第１パワーレベルを有する第１パルス、及び前記第１パワーレベルと異なる第２パワーレベルを有する第２パルスで構成されたボックス型記録パターンを生成する記録波形生成部と、前記記録パターンによってデータを記録するピックアップ部と、を備えることである。
【００３８】
本発明のさらに他の特徴は、光記録媒体に記録パターン情報を記録する装置において、記録するマークの長さによって決定される長さを有し、第１パワーレベルを有する第１パルス、及び前記第１パワーレベルと異なる第２パワーレベルを有する第２パルスで構成されたボックス型記録パターンに関する情報を生成する制御部と、前記生成された記録パターン情報を前記光記録媒体の所定領域に記録するピックアップ部とを備えることである。
【００３９】
本発明のさらに他の特徴は、記録再生装置に使われるための光記録媒体において、記録パターン情報が記録された領域を備え、前記記録パターン情報は、記録するマークの長さによって決定される長さを有し、第１パワーレベルを有する第１パルス、及び前記第１パワーレベルと異なる第２パワーレベルを有する第２パルスで構成されたボックス型記録パターンに関する情報を含むことである。
【発明の効果】
【００４０】
本発明によれば、高倍速の記録媒体でマークのトレーリング部分の調節を容易にすることによって、再生信号の品質を向上させる。
【発明を実施するための最良の形態】
【００４１】
以下、添付された図面を参照して本発明を詳細に説明する。
【００４２】
図５は、本発明の望ましい実施形態による記録装置１の一例を示す図である。図５に示すように、記録装置１は、光記録媒体１００にマークを形成するか、またはスペースを形成することによってデータを記録する装置であって、ピックアップ部１０、記録波形生成部２０、チャンネル変調部３０を備える。
【００４３】
チャンネル変調部３０は、外部から入力されたデータをチャンネルビット列に変調する。
【００４４】
記録波形生成部２０は、チャンネルビット列を提供され、記録パターンに関する情報に基づいて、前記チャンネルビット列を記録するための記録波形を生成する。本発明によって生成された記録波形は、第１パワーレベルを有する第１パルス、及び前記第１パワーレベルより低いパワーレベルを有する第２パルスで構成されたボックス型記録パターンを含む。記録波形についての詳細な説明は後述する。ピックアップ部１０は、生成された記録波形によって光記録媒体１００に光を照射してマークまたはスペースを形成する。ピックアップ部１０は、光記録媒体１００を回転させるためのモータ、光記録媒体１００にレーザ光を照射させるか、または光記録媒体１００から反射されたレーザ光を受信するための光ヘッド、モータ及び光ヘッドをサーボ制御するサーボ回路、及び光ヘッドに設置されたレーザを駆動するレーザ駆動回路を備える。
【００４５】
本発明による記録装置は、ボックス型記録パターンのパラメータ情報に基づいて、前記光記録媒体のテスト領域に所定のテストデータ（任意のデータまたは既定のデータ）に対する記録及び消去テストを実施し、前記テスト結果によって、前記テスト条件のうち最善の条件（例えば、ジッタ値が最小になるか、分解能が最も大きいか、変調度が最も最大になるなどの条件）を選択して前記記録波形生成部２０に提供できる。
【００４６】
図６は、本発明の望ましい実施形態による記録装置２の他の例を示す図である。図６に示すように、記録装置２は、光記録媒体１００にマークまたはスペースを形成することによってデータを記録する装置であって、ピックアップ部１０、記録波形生成部２０、チャンネル変調部３０、信号処理部４０、制御部５０を備える。
【００４７】
チャンネル変調部３０は、外部から入力されたデータをチャンネルビット列に変調する。
【００４８】
記録波形生成部２０は、チャンネルビット列を提供され、前記チャンネルビット列を記録するための記録波形を生成する。ピックアップ部１０は、生成された記録波形によって光記録媒体１００に光を照射して、マークまたはスペースを形成する。
【００４９】
チャンネル変調部３０は、入力されたデータをチャンネルビット列に変調してＮＲＺＩデータを出力する。記録波形生成部２０は、ＮＲＺＩデータを記録するための記録波形を発生させて、ピックアップ部１０に備えられたレーザ駆動回路（図示せず）に提供する。
【００５０】
レーザ駆動回路は、受信された記録波形を使用してレーザを制御することによって、光ディスク１００にマークまたはスペースを形成させる。
【００５１】
特に、本発明によって、ピックアップ部１０は、光記録媒体１００の所定領域から記録パターンに関する情報を読み取る。信号処理部４０は、読み取られた記録パターンに関する情報を所定の信号処理を行って制御部５０に送信し、制御部５０は、受信された記録パターンに関する情報を記録波形生成部２０に提供する。記録波形生成部２０は、制御部６０から提供された記録パターンに関する情報に基づいて、チャンネル変調部３０から受信されたチャンネルデータを記録するための記録波形を生成する。光記録媒体１００から読み取られる記録パターンに関する情報は、本発明によって、第１パワーレベルを有する第１パルス、及び前記第１パワーレベルより低いパワーレベルを有する第２パルスで構成されたボックス型記録パターンを生成するためのパラメータ情報を含む。ボックス型記録パターンを生成するためのパラメータ情報についての詳細な説明は後述する。
【００５２】
図７の（Ａ）、（Ｂ）、（Ｃ）は、本発明によるボックス型記録パターン及びこれによって形成されるマークの一例を示す図である。図７（Ａ）は、５ＴマークのためのＮＲＺＩデータを示し、図７（Ｂ）は、５Ｔマークを記録するための本発明による記録パターンを示し、図７（Ｃ）は、図７（Ｂ）に示した本発明による記録パターンにより情報記録媒体に形成されたマークの形態を示す。
【００５３】
図７（Ａ）に示すように、５ＴマークのためのＮＲＺＩデータは、開始点９０で立上がりエッジとなり、終了点９５で立下りエッジとなる。９１は、５ＴマークのためのＮＲＺＩデータが始まって１Ｔほどの時間が経た地点であり、９２は、２Ｔほどの時間が経た地点であり、９３は、３Ｔほどの時間が経た地点であり、９４は、４Ｔほどの時間が経た地点であり、９５は、５Ｔほどの時間が経た地点である。
【００５４】
図７（Ｂ）に示すように、本発明によるボックス型記録パターンは、第１パワーレベルＰｗ１を有する第１パルス７０と、第１パワーレベルと異なる第２パワーレベルＰｗ２を有する第２パルス８０とで構成される。望ましくは、第２パワーレベルＰｗ２は、第１パワーレベルＰｗ１より低い。しかし、第２パワーレベルＰｗ２は、第１パワーレベルＰｗ１より低いことに限定されない。また、第１パワーレベルと第２パワーレベルとは、熱蓄積の量のような記録条件により調整されうる。また、二つ以上のパワーレベルが熱蓄積の効果を低下させるために使われうる。
【００５５】
第１パルス７０は、マークの長さによって決定される長さを有し、第２パルス８０は、ボックス型記録パターンのエッジ部分に配列される。例えば、第２パルス８０の開始点は、マークの長さがｎＴである場合、（ｎ−１）Ｔの位置となりうる。図７（Ｂ）に示すように、マークの長さは５Ｔであり、第２パルス８０の開始点は、４Ｔ地点９４となる。もちろん、第２パルスの開始点が（ｎ−１）Ｔに限定されるものではない。
【００５６】
本発明によるボックス型記録パターンのパラメータは、多様な形態に決定され、例えば第１パルス７０の開始点７１、第１パルス７０の長さ７２、第２パルス８０の長さ８２、第１パルスの長さと第２パルスの長さとを合わせた長さ７３、第２パルス８０の終了点８１、クーリングパルス１１０の終了点などを含む。第１パルス７０の開始点７１は、マークの開始点９０からの距離と決定されるか、またはマークのためのＮＲＺＩデータが始まって１Ｔほどの時間が経た地点９１からの距離と決定されうる。また、第２パルス８０の終了点８１も、（ｎ−１）Ｔからの距離と決定されるか、またはマークの終了点９５からの距離と決定されうる。このように多様な形態のパラメータを、図８ないし図１３を参照して具体的に説明する。
【００５７】
高倍速媒体である場合、図７（Ｂ）に示したように、第１パワーレベルと第２パワーレベルとを有する二つのパルスを含むボックス型記録パターンを利用してデータを記録すれば、図７（Ｃ）に示したように、その形態が一定したマークが得られる。
【００５８】
下記表は、本発明によるボックス形態の記録ストラテジーを利用した４倍速記録品質（ジッタ）の結果である。記録条件は、図３と関連して説明した記録条件と同一であり、本発明によるボックス形態の記録ストラテジーを利用することによってジッタ結果が向上するということが分かる。
【００５９】
【表５】
2007257823.tif 000007
以下、図８（Ａ）ないし図１３（Ｂ）を参照して、本発明によるボックス型記録パターンのためのパラメータの例を説明する。本発明による記録装置では、かかるボックス型記録パターンのためのパラメータを利用してデータ記録のための記録波形を生成する。また、本発明による記録装置は、かかるボックス型記録パターンのためのパラメータ情報を情報記録媒体の所定領域に記録し、本発明による記録装置では、このように情報記録媒体の所定領域に記録されたボックス型記録パターンのためのパラメータ情報を読み取って、このパラメータ情報に基づいてデータ記録のための記録波形を生成する。かかるボックス型記録パターンのためのパラメータは、記録環境、例えば記録速度、記録層の位置、記録層の材料によって変更しうる。
【００６０】
図８（Ａ）及び図８（Ｂ）は、本発明によるボックス型記録パターンのためのパラメータの第１例を示す図である。図８（Ｂ）に示すように、本発明によるボックス型記録パターンは、第１パワーレベルＰｗ１を有する第１パルス７０と、第１パワーレベルより低い第２パワーレベルＰｗ２を有する第２パルス８０とで構成される。本発明によるボックス型記録パターンのためのパラメータの第１例は、第１パルスの開始点ｄＰ、ボックス型記録パターンの長さＰ、クーリングパルスの終了点ｄＳを含む。
【００６１】
ボックス型記録パターンの第１パルス７０の開始点ｄＰは、記録データのために１Ｔの時間が進んだ時点から測定した第１パルス７０の開始点を表し、ボックス型記録パターンの長さＰは、第１パルスが開始した時点ｄＰから第２パルス８０が終了する時点ＥＰまで全体の記録パルスの長さを表す。ｄＳは、記録データが終了する時点から測定したクーリングパルスが終了する時点を表す。
【００６２】
図９の（Ａ）及び（Ｂ）は、本発明によるボックス型記録パターンのためのパラメータの第２例を示す図である。
【００６３】
図９（Ｂ）に示すように、本発明によるボックス型記録パターンは、第１パワーレベルＰｗ１を有する第１パルス７０と、第１パワーレベルより低い第２パワーレベルＰｗ２を有する第２パルス８０とで構成される。本発明によるボックス型記録パターンのためのパラメータの第２例は、第１パルスの開始点ｄＰ、ボックス型記録パターンの長さＰ、クーリングパルスの終了点ｄＳを含む。
【００６４】
ボックス型記録パターンの第１パルス７０の開始点ｄＰは、記録データが開始する時点ＭＳＰから測定した第１パルス７０の開始点を表し、ボックス型記録パターンの長さＰは、第１パルスが開始した時点ｄＰから第２パルス８０が終了する時点ＥＰまで全体の記録パルスの長さを表す。ｄＳは、記録データが終了する時点から測定したクーリングパルスが終了する時点を表す。
【００６５】
図１０の（Ａ）及び（Ｂ）は、本発明によるボックス型記録パターンのためのパラメータの第３例を示す図である。
【００６６】
図１０（Ｂ）に示すように、本発明によるボックス型記録パターンは、第１パワーレベルＰｗ１を有する第１パルス７０と、第１パワーレベルより低い第２パワーレベルＰｗ２を有する第２パルス８０とで構成される。本発明によるボックス型記録パターンのためのパラメータの第３例は、第１パルスの開始点ｄＰ、第１パルスの長さＰ、第２パルスの終了点Ｌ、クーリングパルスの終了点ｄＳを含む。
【００６７】
ボックス型記録パターンの第１パルス７０の開始点ｄＰは、記録データのために１Ｔの時間が進んだ時点から測定した第１パルス７０の開始点を表し、第１パルスの長さＰは、第１パルスの開始点から第２パルスの開始点までの長さを表し、第２パルスの終了点Ｌは、第１パルスの終了点ＦＥＰから測定した第２パルスが終了する時点を表す。ｄＳは、記録データが終了する時点から測定したクーリングパルスが終了する時点を表す。
【００６８】
図１１の（Ａ）及び（Ｂ）は、本発明によるボックス型記録パターンのためのパラメータの第４例を示す図である。
【００６９】
図１１（Ｂ）に示すように、本発明によるボックス型記録パターンは、第１パワーレベルＰｗ１を有する第１パルス７０と、第１パワーレベルより低い第２パワーレベルＰｗ２を有する第２パルス８０とで構成される。本発明によるボックス型記録パターンのためのパラメータの第４例は、第１パルスの開始点ｄＰ、第１パルスの長さＰ、第２パルスの終了点Ｌ、クーリングパルスの終了点ｄＳを含む。
【００７０】
ボックス型記録パターンの第１パルス７０の開始点ｄＰは、記録データが開始する時点ＭＳＰから測定した第１パルス７０の開始点を表し、第１パルスの長さＰは、第１パルスの開始点から第２パルスの開始点までの長さを表し、第２パルスの終了点Ｌは、第１パルスの終了点ＦＥＰから測定した第２パルスが終了する時点を表す。ｄＳは、記録データが終了する時点から測定したクーリングパルスが終了する時点を表す。
【００７１】
図１２の（Ａ）及び（Ｂ）は、本発明によるボックス型記録パターンのためのパラメータの第５例を示す図である。
【００７２】
図１２（Ｂ）に示すように、本発明によるボックス型記録パターンは、第１パワーレベルＰｗ１を有する第１パルス７０と、第１パワーレベルより低い第２パワーレベルＰｗ２を有する第２パルス８０とで構成される。本発明によるボックス型記録パターンのためのパラメータの第５例は、第１パルスの開始点ｄＰ、第１パルスの長さＰ、第２パルスの終了点ｄＬ、クーリングパルスの終了点ｄＳを含む。
【００７３】
ボックス型記録パターンの第１パルス７０の開始点ｄＰは、記録データのために１Ｔの時間が進んだ時点から測定した第１パルス７０の開始点を表し、第１パルスの長さＰは、第１パルスの開始点から第２パルスの開始点までの長さを表し、第２パルスの終了点ｄＬは、記録データが終了する時点ＭＥＰから測定した第２パルスが終了する点を表す。ｄＳは、記録データが終了する時点から測定したクーリングパルスが終了する時点を表す。
【００７４】
図１３の（Ａ）及び（Ｂ）は、本発明によるボックス型記録パターンのためのパラメータの第６例を示す図である。
【００７５】
図１３Ｂに示すように、本発明によるボックス型記録パターンは、第１パワーレベルＰｗ１を有する第１パルス７０と、第１パワーレベルより低い第２パワーレベルＰｗ２を有する第２パルス８０とで構成される。本発明によるボックス型記録パターンのためのパラメータの第６例は、第１パルスの開始点ｄＰ、第１パルスの長さＰ、第２パルスの終了点ｄＬ、クーリングパルスの終了点ｄＳを含む。
【００７６】
ボックス型記録パターンの第１パルス７０の開始点ｄＰは、記録データが開始する時点ＭＳＰから測定した第１パルス７０の開始点を表し、第１パルスの長さＰは、第１パルスの開始点から第２パルスの開始点までの長さを表し、第２パルスの終了点ｄＬは、記録データが終了する時点ＭＥＰから測定した第２パルスが終了する点を表す。ｄＳは、記録データが終了する時点から測定したクーリングパルスが終了する時点を表す。
【００７７】
図１４は、本発明によるデータ記録方法のフローチャートである。図１４に示すように、ＮＲＺＩデータを生成する（１４１）。
【００７８】
次いで、マークの長さによって設定される第１パルス、及び第１パワーレベルと異なる第２パワーレベルを有する第２パルスを含むボックス形態の記録パターンを有した記録波形を生成する（１４２）。
【００７９】
生成された記録波形を使用してマークまたはスペースを形成して、ＮＲＺＩデータを記録する（１４３）。
【００８０】
図１５は、本発明によるパラメータ記録方法のフローチャートである。図１５に示すように、マークの長さによって設定される第１パルス、及び前記第１パワーレベルと異なる第２パワーレベルを有する第２パルスを含むボックス形態の記録パターンのためのパラメータを決定する（１５１）。
【００８１】
次いで、前記決定されたパラメータを情報記録媒体に記録する（１５２）。
【００８２】
図１６は、本発明によって情報記録媒体からパラメータを読み取って利用する方法のフローチャートである。図１６に示すように、マークの長さによって設定される第１パルス、及び前記第１パワーレベルと異なる第２パワーレベルを有する第２パルスを含むボックス形態の記録パターンのためのパラメータを情報記録媒体から読み取る（１６１）。
【００８３】
次いで、読み取られたパラメータを利用して装置の記録条件を設定し、情報記録媒体にデータを記録する（１６２）。
【００８４】
前述したような記録方法は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。そして、前記記録方法を具現するための機能的なプログラム、コード及びコードセグメントは、本発明が属する技術分野のプログラマにより容易に推論されうる。
【００８５】
これまで、本発明について、その望ましい実施形態を中心に述べた。当業者は、本発明が、本発明の本質的な特性から逸脱しない範囲で、変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる相違点は、本発明に含まれていると解釈されねばならない。
【産業上の利用可能性】
【００８６】
本発明は、情報記録媒体関連の技術分野に適用可能である。
【図面の簡単な説明】
【００８７】
【図１】従来技術によるマルチパルス記録パターンの波形図である。
【図２】マルチパルス記録パターン及びこれによって形成されるマークの一例を示す図である。
【図３】従来技術による単一パルス記録パターンの波形図である。
【図４】単一パルス記録パターン及びこれによって形成されるマークの一例を示す図である。
【図５】本発明による記録装置の一例を示す図である。
【図６】本発明による記録装置の他の例を示す図である。
【図７】本発明によるボックス型記録パターン及びこれによって形成されるマークの一例を示す図である。
【図８】（Ａ）は記録波形の波形ダイヤグラムを示す図、（Ｂ）は本発明によるボックス型記録パターンの第１例を示す図である。
【図９】（Ａ）は記録波形の波形ダイヤグラムを示す図、（Ｂ）は本発明によるボックス型記録パターンの第２例を示す図である。
【図１０】（Ａ）は記録波形の波形ダイヤグラムを示す図、（Ｂ）は本発明によるボックス型記録パターンの第３例を示す図である。
【図１１】（Ａ）は記録波形の波形ダイヤグラムを示す図、（Ｂ）は本発明によるボックス型記録パターンの第４例を示す図である。
【図１２】（Ａ）は記録波形の波形ダイヤグラムを示す図、（Ｂ）は本発明によるボックス型記録パターンの第５例を示す図である。
【図１３】（Ａ）は記録波形の波形ダイヤグラムを示す図、（Ｂ）は本発明によるボックス型記録パターンの第６例を示す図である。
【図１４】本発明によるデータ記録方法のフローチャートである。
【図１５】本発明によるパラメータ記録方法のフローチャートである。
【図１６】本発明によって情報記録媒体からパラメータを読み取って利用する方法のフローチャートである。
【符号の説明】
【００８８】
７０    第１パルス
７１    第１パルスの開始点
７２    第１パルスの長さ
７３    第１パルスの長さと第２パルスの長さとを合わせた長さ
８０    第２パルス
８１    第２パルスの終了点
８２    第２パルスの長さ
９０    開始点
９１    ５ＴマークのためのＮＲＺＩデータが始まって１Ｔほどの時間が経た地点
９２    ２Ｔほどの時間が経た地点
９３    ３Ｔほどの時間が経た地点
９４    ４Ｔほどの時間が経た地点
９５    ５Ｔほどの時間が経た地点
１１０  クーリングパルス
【図１】
2007257823.tif 000008
【図２】
2007257823.tif 000009
【図３】
2007257823.tif 000010
【図４】
2007257823.tif 000011
【図５】
2007257823.tif 000012
【図６】
2007257823.tif 000013
【図７】
2007257823.tif 000014
【図８】
2007257823.tif 000015
【図９】
2007257823.tif 000016
【図１０】
2007257823.tif 000017
【図１１】
2007257823.tif 000018
【図１２】
2007257823.tif 000019
【図１３】
2007257823.tif 000020
【図１４】
2007257823.tif 000021
【図１５】
2007257823.tif 000022
【図１６】
2007257823.tif 000023